(57)【要約】【課題】外容器の中に内容器を納めた容器において、コストを低く、剤洩れの可能性を低く、内容器の落下の可能性を低くすること。【解決手段】外容器１０の中に内容器２０を納め、外容器１０に装填してある剤Ａを吐出させる外吐出口３２Ａの中に内容器２０に装填してある剤Ｂを吐出させる内吐出口３４Ａを配置する容器１であって、内容器２０が外容器１０との結合部２１を備えるとともに、外容器１０に装填してある剤Ａを外吐出口３２Ａに排出させる剤通路２３を備えるもの。【選択図】　図２
2004035041.tif 000002
【特許請求の範囲】
【請求項１】
外容器の中に内容器を納め、外容器に装填してある剤を吐出させる外吐出口の中に内容器に装填してある剤を吐出させる内吐出口を配置する容器であって、
内容器が外容器との結合部を備えるとともに、外容器に装填してある剤を外吐出口に排出させる剤通路を備える容器。
【請求項２】
前記内容器の結合部が外容器に打込み嵌合されるものである請求項１に記載の容器。
【請求項３】
前記内容器が延伸ブロー成形されたものである請求項１又は２に記載の容器。
【請求項４】
前記外容器と内容器に剤を収容してなる請求項１〜３のいずれかに記載の容器。
【発明の詳細な説明】
【０００１】
【発明の属する技術分野】
本発明は液体、気体又は固体の剤を吐出する容器に関する。
【０００２】
【従来の技術】
２重容器として、外容器の中に内容器を納め、外容器に装填してある剤を吐出させる外吐出口の中に内容量に装填してある剤を吐出させる内吐出口を配置するものがある。従来の２重容器では、外容器に結合部材を結合し、この結合部材に内容器を結合し、外容器の剤を外吐出口に排出させる剤通路を結合部材に穿設している。
【０００３】
【発明が解決しようとする課題】
▲１▼外容器と内容器を結合部材の介在により一体化しており、部品点数が多く、結合箇所が多いために厚肉箇所が多くなって材料使用量も多くなるし、結合箇所が多いだけ組付工数も多くなり、コスト高になる。
【０００４】
▲２▼外容器と内容器の結合箇所が多い分、剤洩れ、ひいては剤混合（コンタミ）の可能性が高くなる。
【０００５】
▲３▼外容器と内容器の結合箇所が多い分、外容器を把持したときに、内容器が外容器の中で落下する可能性が高い。
【０００６】
本発明の課題は、外容器の中に内容器を納めた容器において、コストを低く、剤洩れの可能性を低く、内容器の落下の可能性を低くすることにある。
【０００７】
【課題を解決するための手段】
請求項１の発明は、外容器の中に内容器を納め、外容器に装填してある剤を吐出させる外吐出口の中に内容量に装填してある剤を吐出させる内吐出口を配置する容器であって、内容器が外容器との結合部を備えるとともに、外容器に装填してある剤を外吐出口に排出させる剤通路を備えるものである。
【０００８】
【発明の実施の形態】
容器１は、図１に示す如く、混ざると反応するような互いに性質の異なる２剤Ａ、Ｂを同時に吐出させる２剤吐出容器であり、外容器１０、内容器２０、ノズル構成体３０、仕切部材４０、計量キャップ５０の、それぞれ樹脂成形品である全５部品からなる。
【０００９】
容器１は、剤Ａを収容する外容器１０の中に、剤Ｂを収容する内容器２０を納め、外容器１０の剤Ａを吐出させる後述の外吐出口３２Ａの中に、内容器２０の剤Ｂを吐出させる後述の内吐出口３４Ａを配置する。
【００１０】
外容器１０は、容器本体部１０Ａと把手１０Ｂを有する。容器本体部１０Ａは、一端開口の有底状をなし、開口部の外周に打込み部１１を備える。
【００１１】
内容器２０は、打込み筒部２０Ａ、外側筒部２０Ｂ、つなぎ部２０Ｃ、容器本体部２０Ｄを有する。
【００１２】
内容器２０は、打込み筒部２０Ａに外容器１０の開口部の外周に設けた打込み部１１に打込み嵌合させる結合部２１を備える。内容器２０は、打込み筒部２０Ａと外側筒部２０Ｂで外容器１０の開口部の内外面を挟み込み嵌合し、打込み筒部２０Ａと外側筒部２０Ｂを外容器１０の開口部に封着し、上述の結合部２１により外容器１０に直結される。
【００１３】
内容器２０は、外側筒部２０Ｂの上端面にノズル本体３０を載せ置き可能とするとともに、仕切部材４０を螺着するためのねじ部２２を外側筒部２０Ｂの上端寄り外周に備える。
【００１４】
内容器２０は、つなぎ部２０Ｃに、外容器１０の剤Ａを外吐出口３２Ａに排出させる複数の孔状の剤通路２３を備える。
【００１５】
内容器２０は、容器本体部２０Ｄを一端開口の有底状とし、容器本体部２０Ｄの外周の中間部につなぎ部２０Ｃを接合し、つなぎ部２０Ｃの接合部位より下部をブロー成形部２４とする。即ち、内容器２０は、全体を射出成形して図２に示す如くの射出成形品を製造した後、ブロー成形部２４の部分をブロー成形して図１に示す如くに適宜の容量に膨らまし成形されて完成部品とされる。ブロー成形は延伸ブロー成形とし、ブロー成形部２４を径方向と軸方向に２軸延伸させるのが良い。但し、内容器２０は、射出成形又はダイレクトブロー成形による単一成形工程だけで製造されても良い。
【００１６】
ノズル本体３０は、外側筒部３０Ｂ、外ノズル筒部３０Ｂ、内ノズル筒部３０Ｃ、外ノズル筒部３０Ｂと内ノズル筒部３０Ｃの間の環状隙間の周方向複数位置で外ノズル筒部３０Ｂと内ノズル筒部３０Ｃをつなぐ整流スリット３０Ｄを有する。
【００１７】
ノズル構成体３０は、外側筒部３０Ａを内容器２０の外側筒部２０Ｂの内周に嵌合し、外側筒部３０Ａの上端フランジ３１を外側筒部２０Ｂの上端面に載せ置き、外側筒部３０Ａを内容器２０の外側筒部２０Ｂに封着する。
【００１８】
ノズル構成体３０は、外ノズル筒部３０Ｂの先端に外ノズル３２を形成し、外ノズル３２は外容器１０の剤Ａを内容器２０の剤通路２３、外ノズル筒部３０Ｂと内ノズル筒部３０Ｃの環状隙間経由で細流化して吐出するラッパ状の外吐出口３２Ａを形成する。
【００１９】
ノズル構成体３０は、内ノズル筒部３０Ｃの基端のシール部３３を内容器２０の容器本体部２０Ｄの開口に封着状態で嵌合する。ノズル構成体３０は、内ノズル筒部３０Ｃの先端に内ノズル３４を形成し、内ノズル３４は内容器２０の剤Ｂを細流化して吐出するラッパ状の内吐出口３４Ａを形成する。内吐出口３４Ａは軸方向で外吐出口３２Ａより外方に突出する。
【００２０】
ノズル構成体３０は、整流スリット３０Ｄにより、外ノズル筒部３０Ｂと内ノズル筒部３０Ｃの環状隙間を通過する外容器１０の剤Ａの流れを整流化する。尚、ノズル構成体３０は、内ノズル３４の内周に十字状の整流スリット３４Ｂを備え、内容器２０の剤Ｂの流れを整流化する。
【００２１】
ノズル構成体３０は、外側筒部３０Ａと外ノズル筒部３０Ｂの間の陥凹部を剤回収部３５とする。剤回収部３５は、外吐出口３２Ａと内吐出口３４Ａから液ダレした剤を回収する。
【００２２】
仕切部材４０は、ねじ込み筒部４０Ａ、再吐出用筒部４０Ｂを有する。
仕切部材４０は、内容器２０の外側筒部２０Ｂに載せ置かれたノズル構成体３０の上端フランジ３１の上に被着され、内容器２０の外側筒部２０Ｂのねじ部２２に螺着されるねじ部４１をねじ込み筒部４０Ａの内周に備える。ねじ込み筒部４０Ａの上端フランジ４２はノズル構成体３０の上端フランジ３１に被さり、上端フランジ３１に封着する。
【００２３】
仕切部材４０は、計量キャップ５０や外吐出口３２Ａ、内吐出口３４Ａから垂れ落ちる剤を捕捉ための環状の剤捕捉凹部４３を再吐出用筒部４０Ｂの外周の下端部に備え、剤捕捉凹部４３を孔状（又はスリット状）の連通口４４により内周側の下方に形成してある前述の剤回収部３５に連通可能とする。剤捕捉凹部４３は、容器１の周方向で、外吐出口３２Ａ、内吐出口３４Ａを挟んで容器１の注ぎ出し方向側（外吐出口３２Ａ、内吐出口３４Ａの注ぎ出し方向側）とを反対側に向けて下り勾配となるように傾斜し、最下位部に連通口４４を開口する。尚、容器１は、反注ぎ出し方向に外容器１０の把手１０Ｂを設け、この把手１０Ｂの位置により注ぎ出し方向を示すことができる。
【００２４】
仕切部材４０は、再吐出用筒部４０Ｂを剤捕捉凹部４３から上方に立上げ、再吐出用筒部４０Ｂの内周により前述の該回収部３５に回収された剤の排出経路を形成し、再吐出用筒部４０Ｂの先端を環状の再吐出口４５とする。
【００２５】
仕切部材４０は、再吐出用筒部４０Ｂの先端の外周に、計量キャップ５０を螺着するためのねじ部４６を備える。
【００２６】
計量キャップ５０は、有天筒状をなし、基端外周に仕切部材４０の上端フランジ４２に封着する外周シール部５１を備える。計量キャップ５０は、天井裏側に、仕切部材４０のねじ部４６に螺着するねじ部５２を備えるとともに、外ノズル３２の外吐出口３２Ａ、内ノズル３４の内吐出口３４Ａにそれぞれ封止されるシール部５３、５４を備える。容器１を傾けることにより、外容器１０の剤Ａと内容器２０の剤Ｂが、外ノズル３２の外吐出口３２Ａ、内ノズル３４の内吐出口３４Ａのそれぞれから同時に吐出され、計量キャップ５０にて混ぜ合わせて使用に供される。
【００２７】
容器１は以下の如くに組立てられる。
（１）外容器１０の開口部に内容器２０の打込み筒部２０Ａと外側筒部２０Ｂを封着し、打込み筒部２０Ａの結合部２１を外容器１０の打込み部１１に挟み込み嵌合を伴いながら打込み嵌合する。
【００２８】
（２）外容器１０に剤Ａを内容器の剤通路２３を通して充填する。
（３）内容器２０に剤Ｂを充填する。
【００２９】
（４）ノズル構成体３０と仕切部材４０の組立体を作成する。内容器２０の外側筒部２０Ｂの内周にノズル構成体３０の外側筒部３０Ａを嵌合し、内容器２０の外側筒部２０Ｂのねじ部２２に螺着される仕切部材４０のねじ込み筒部４０Ａが備える上端フランジ４２により、ノズル構成体３０の外側筒部３０Ａが備える上端フランジ３１を内容器２０の外側筒部２０Ｂとの間に挟み込み固定化する。
【００３０】
（５）上述（４）の仕切部材４０のねじ部４６に計量キャップ５０を螺着し、ノズル構成体３０の外吐出口３２Ａ、内吐出口３４Ａを封止する。
【００３１】
また、容器１は以下の如くに使用される。
（１）計量キャップ５０に残った前回計量時の残液は、計量キャップ５０から仕切部材４０の外周側の剤捕捉凹部４３に捕捉され、連通口４４を通って剤回収部３５に回収される。容器１の次回使用時に、容器１を傾けると、剤回収部３５に溜まった回収剤は仕切部材４０の再吐出口用筒部４０Ｂの内面を伝わって再吐出口４５から吐出される。再吐出口４５は立上り形成されているから、容器１の傾け角が０度〜５度の如くに浅くても、回収剤を周辺に垂れ流して汚すことなく、目的部位に向け、吐出口３２Ａ、３４Ａからの吐出剤Ａ、Ｂとともに注ぎ出せる。
【００３２】
（２）尚、仕切部材４０の外周側から内周側に連通している連通口４４は、外ノズル３２と内ノズル３４を挟んで容器１の注ぎ出し方向側部位の反対側部位に位置しており、容器１を注ぎ出し方向に傾けたとき、剤回収部３５に溜まった回収剤が上記連通口４４を通って仕切部材４０の外面側に洩れ出ることがない。
【００３３】
（３）外容器１０と内容器２０のそれぞれの吐出口３２Ａ、３４Ａから性質の異なる剤Ａ、Ｂを一定の吐出量割合で同時に計量キャップ５０に吐出させ、剤Ａ、Ｂを一定の混合割合で混合させることができる。そして、計量キャップ５０に残った残液は、上述（１）により剤回収部３５に回収され、外容器１０や内容器２０の中に回収されることがないから、外容器１０と内容器２０の内容剤Ａ、Ｂのそれぞれを汚損する虞がない。
【００３４】
尚、外容器１０の剤Ａと内容器２０の剤Ｂの組み合わせとしては、ＡとＢの一方を界面活性剤を含有するアルカリ剤、他方を酸素系漂白剤とし、それらの混合により漂白剤を構成するもの、ＡとＢの一方をビタミン、他方を香料とし、それらの混合により化粧水を構成するもの、ＡとＢの一方を水層（具材）、他方を油層とし、それらの混合により食品ドレッシングを構成するもの、ＡとＢの一方を原液、他方を水等の薄め液とし、それらの混合により食品又は非食品を構成するもの等を採用できる。
【００３５】
本実施形態によれば以下の作用がある。
（請求項１に対応する作用）
▲１▼内容器２０が外容器１０との結合部２１を備え、内容器２０と外容器１０が直結される。従って、容器１の部品点数が少なくなり、厚肉となる結合箇所が少なくなる分、材料使用量も少なく、組付工数も少なくなり、コスト低減できる。
【００３６】
▲２▼外容器１０と内容器２０の結合箇所が少ない分、剤洩れ、ひいては剤混合（コンタミ）の可能性が低くなる。
【００３７】
▲３▼外容器１０と内容器２０の結合箇所が少ない分、外容器１０を把持したときに、内容器２０が外容器１０の中で落下する可能性が低くなる。
【００３８】
（請求項２に対応する作用）
▲４▼内容器２０の結合部２１が外容器１０の開口部の打込み部１１に打込み嵌合されるから、組付け簡易になり、シール性も良くなる。内容器２０の結合部２１が外容器１０の開口部の内外面を挟み込み嵌合する状態で、上述の打込み嵌合されるとき、シール性はより良くなる。
【００３９】
（請求項３に対応する作用）
▲５▼内容器２０が延伸ブロー成形される。ブロー成形によって内容器２０の膨らまし量を容易に調整でき、内容器２０の容量を適宜調整できる。延伸成形によって内容器２０の落下強度等の機械的性質を向上できるし、酸素や水分のバリヤ性（耐透過性）を向上できる。
【００４０】
（請求項４に対応する作用）
▲６▼２剤吐出容器１において、上述▲１▼〜▲５▼を実現できる。
【００４１】
【発明の効果】
以上のように本発明によれば、外容器の中に内容器を納めた容器において、コストを低く、剤洩れの可能性を低く、内容器の落下の可能性を低くすることができる。
【図面の簡単な説明】
【図１】図１は容器を示す全体断面図である。
【図２】図２はブロー成形前の内容器を示す断面図である。
【符号の説明】
１　容器
１０　外容器
２０　内容器
２１　結合部
２３　剤通路
３２Ａ　外吐出口
３４Ａ　内吐出口
【図１】
2004035041.tif 000003
【図２】
2004035041.tif 000004